(57)【特許請求の範囲】
【請求項１】
ほぼ円形の分散テーブルと、該分散テーブルの周囲下方から放射状に配設され、前記分散テーブルから被計量物を受け取る複数の被計量物搬送装置と、これらの搬送装置の先端部下方に配設された複数の計量装置とを有する組合せ計量装置であって、前記分散テーブルは、前記分散テーブルの中心を通る分割線によって分割された複数の分割テーブルによって構成され、少なくとも前記各分割テーブルの１つには、前記分割線に沿う端縁部に立設された仕切り壁と、該仕切り壁から離れた部位に位置し、上方から投下された被計量物を周囲に分配する分配点と、該分配点から前記仕切り壁に向けて下方に傾斜する傾斜面とが設けられていることを特徴とする組合せ計量装置。
【請求項２】
前記分割テーブルは、前記分配点から前記分割テーブルの周囲に延びる複数の区画線によって区画された下方に傾斜する複数の平面を有し、前記複数の平面のうち少なくとも前記搬送装置へ被計量物を送る平面の傾斜角がほぼ同一とされていることを特徴とする請求項１に記載の組合せ計量装置。
【請求項３】
前記仕切り壁に隣接する平面は、前記仕切り壁にほぼ垂直であることを特徴とする請求項２に記載の組合せ計量装置。
【請求項４】
前記各分割テーブルを個々に振動させる複数の加振機が備えられ、該加振機による振動中心と前記分割テーブルの重心とをほぼ一致させたことを特徴とする請求項１から請求項３のいずれかに記載の組合せ計量装置。
【請求項５】
前記加振機は、前記分割テーブルを上下方向に振動させることを特徴とする請求項４に記載の組合せ計量装置。
【請求項６】
前記分割テーブルは、板材の折り曲げにより形成されていることを特徴とする請求項１から請求項５のいずれかに記載の組合せ計量装置。
【請求項７】
前記分配点に被計量物を投下する供給部材が備えられ、該供給部材の投下中心が前記分配点の上方に位置することを特徴とする請求項１から請求項６のいずれかに記載の組合せ計量装置。
【請求項８】
前記供給部材の上部は、逆円錐形になっていることを特徴とする請求項７に記載の組合せ計量装置。
【発明の詳細な説明】
【０００１】
【発明の属する技術分野】
本発明は、物品の組合せ計量装置、特に該装置に備えられる分散テーブルの改良に関し、組合せ計量装置の技術分野に属する。
【０００２】
【従来の技術】
各種の物品の計量に用いられる組合せ計量装置は、一般に、上方から投下された被計量物を分散する分散テーブルの周囲に複数のトラフを配置して、各トラフの先端部下方に全体として円形に並ぶように複数のプールホッパをそれぞれ配置し、かつこれらのプールホッパの下方に計量ホッパをそれぞれ配置して、前記分散テーブルからトラフ及びプールホッパを介して各計量ホッパに被計量物を供給すると共に、これらの被計量物の重量をそれぞれ計量して、その計量値についての組合せ演算により所定の目標重量に一致しもしくは最も近くなる計量ホッパの組合せを求め、その組合せに該当した計量ホッパから被計量物を排出して集合シュートに集合させることにより、前記目標重量の被計量物を得るように構成したものである。
【０００３】
その場合に、分散テーブルから前記トラフに所定量の被計量物を分散供給させる必要がある。例えばトラフから計量ホッパへ被計量物を供給できなくなると、この計量ホッパが組合せ演算の対象外となったり、この演算対象外の計量ホッパの数が多い場合には、組合せ演算で所定重量条件が満たされない場合が生じ、計量精度や効率が低下するのである。また、供給できても極端に供給量が少ない場合には、組合せ演算の対象になっても、不当な量のため選択させずらくなり、長時間、被計量物が計量ホッパに滞留したりする。特に、複数種類の被計量物を同時に計量できるように、前記分散テーブルを複数に分割したような場合には、分割テーブル間で被計量物が混入するのを防止するための仕切り壁を分割端縁部に立設し、且つこれらの分割テーブルを一般に振動させるから、被計量物が該仕切り壁にぶつかって跳ね返り、分割端縁部近傍のトラフ及びホッパで被計量物が不足しやすくなり、前記問題が顕著になるのである。
【０００４】
この問題に対処するものとして、特開平８−５４２７８号公報には、円錐状の分散テーブルを扇状に２分割した分割テーブルの分割端縁部に、両分割テーブルの間で被計量物が混入するのを防止するための仕切り壁を設け、前記分割テーブルの被計量物分散面の母線方向に沿う傾斜角を円周方向に沿って連続的に変化させ、その傾斜角を前記仕切り壁の外端近傍で最大とする一方、この最大傾斜角形成部位から見て中間に位置する被計量物分散面の母線上で最小とすることで、仕切り壁近傍のトラフにも被計量物が均等に分散されるように構成された組合せ計量装置が開示されている。
【０００５】
【発明が解決しようとする課題】
しかしながら、前記公報に記載された装置の場合、各分割テーブルの頂点をなす被計量物の分配点は分割端縁部近傍にあるにもかかわらず、被計量物の混入を防ぐために、各分割テーブルに被計量物を投下する２つの供給部材の両方を分配点の直上方に設けることができないから、これらを水平方向に並設せざるを得ず、本来、分配点の直上方に設けるべき供給部材の投下中心が前記仕切り壁に直交した半径方向に離れてしまい、この結果、前記供給部材から分割テーブル上に落下した被計量物の多くがその落下位置での最大傾斜の方向に移動し、この落下位置よりも仕切り壁側には十分に分散されないのである。それゆえ、もともと仕切り壁の厚さ分だけ分割テーブルの面積が削減されて供給量が少ない仕切り壁近傍のトラフへの被計量物の供給量が一層少なくなって、この仕切り壁近傍のトラフへの供給量が不足するのである。
【０００６】
また、分割テーブルを加振機で周方向に振動させることにより、被計量物を周方向に移動させて仕切り壁近傍に到達させても、仕切り壁に当接した被計量物は跳ね返されてしまい、さらに仕切り壁近傍に滞まらないのである。
【０００７】
そこで、本発明は、分散テーブルが複数の分割テーブルに分割されると共に、該分割端縁部に仕切り壁が設けられた組合せ計量装置において、仕切り壁近傍にも被計量物が一様に分散するようにすることで、複数のトラフに均等に物品を供給することができる組合せ計量装置を提供することを課題とする。
【０００８】
【課題を解決するための手段】
前記課題を解決するために、本発明は、次のように構成したことを特徴とする。
【０００９】
まず、本願の請求項１に記載の発明は、ほぼ円形の分散テーブルと、該分散テーブルの周囲下方から放射状に配設され、前記分散テーブルから被計量物を受け取る複数の被計量物搬送装置と、これらの搬送装置の先端部下方に配設された複数の計量装置とを有する組合せ計量装置であって、前記分散テーブルは、前記分散テーブルの中心を通る分割線によって分割された複数の分割テーブルによって構成され、少なくとも前記各分割テーブルの１つには、前記分割線に沿う端縁部に立設された仕切り壁と、該仕切り壁から離れた部位に位置し、上方から投下された被計量物を周囲に分配する分配点と、該分配点から前記仕切り壁に向けて下方に傾斜する傾斜面とが設けられていることを特徴とする。
【００１０】
この発明によれば、分割テーブル上に上方から投下された被計量物は、分割テーブル上を落下しながら複数の被計量物搬送装置に分散され、さらに複数の計量装置に供給される。
【００１１】
その場合に、分割テーブルには、前記仕切り壁から離れた部位に、上方から投下された被計量物を周囲に分配する分配点と、該分配点から前記仕切り壁に向けて下方に傾斜する傾斜面とが設けられているので、投下された被計量物がこの傾斜面に沿って落下して仕切り壁側近傍にも確実に分散されることとなる。したがって、仕切り壁近傍の搬送装置への被計量物の供給量が不足することがなくなって、複数の搬送装置に被計量物が均等に供給されることとなる。
【００１２】
また、例えば、分割テーブルを周方向に振動させたときに被計量物が仕切り壁に当接して周方向に跳ね返されたとしても、仕切り壁に向けて下方に傾斜する傾斜面が設けられているので、仕切り壁で跳ね返された被計量物は傾斜面によって再度跳ね返されたり、傾斜面に沿って再度仕切り壁に向かって落下することとなる。そのため、仕切り壁での跳ね返りにより仕切り壁側の物品量が減少することがない。
【００１３】
なお、前記分配点は、上方から投下された被計量物を周囲に分配する点であればよく、必ずしも分割テーブルの最も高い位置にある必要はない。
【００１４】
また、本願の請求項２に記載の発明は、請求項１に記載の発明において、前記分割テーブルは、前記分配点から前記分割テーブルの周囲に延びる複数の区画線によって区画された下方に傾斜する複数の平面を有し、前記複数の平面のうち少なくとも前記搬送装置へ被計量物を送る平面の傾斜角がほぼ同一とされていることを特徴とする。
【００１５】
この発明によれば、分割テーブルには、前記分配点から前記分割テーブルの周囲に延びる複数の区画線によって区画された下方に傾斜する複数の平面が設けられ、前記複数の平面のうち少なくとも前記搬送装置へ被計量物を送る平面の傾斜角がほぼ同一とされているので、例えば分割テーブルが傾斜角の異なる複数の平面で形成されているときのように被計量物が特定の平面に偏ったりすることなく、ほぼ均等に分散される。
【００１６】
また、本願の請求項３に記載の発明は、請求項２に記載の発明において、前記仕切り壁に隣接する平面は、前記仕切り壁にほぼ垂直であることを特徴とする。
【００１７】
この発明によれば、前記仕切り壁に隣接する平面は、前記仕切り壁にほぼ垂直とされているから、前記仕切り壁に向かって下方に傾斜する傾斜面からこの平面に分散された被計量物が、前記仕切り壁に押し付けられて滞留し周縁部に移動しにくくなるということが生じず、スムーズに周縁部に移動することとなる。
【００１８】
そして、本願の請求項４に記載の発明は、請求項１から請求項３のいずれかに記載の発明において、前記各分割テーブルを個々に振動させる複数の加振機が備えられ、該加振機による振動中心と前記分割テーブルの重心とをほぼ一致させたことを特徴とする。
【００１９】
この発明によれば、各分割テーブルは、ほぼその重心を中心として安定して振動することとなるので、ますます被計量物の一様な分散に寄与する。
【００２０】
次に、本願の請求項５に記載の発明は、請求項４に記載の発明において、前記加振機は、前記分割テーブルを上下方向に振動させることを特徴とする。
【００２１】
この発明によれば、被計量物には上下方向の振動が加えられるので、被計量物が分散中に仕切り壁に当接しても、周方向に跳ね返される分力が少なく、したがって仕切り壁近傍の被計量物の量が少なくなることが抑制される。
【００２２】
また、本願の請求項６に記載の発明は、請求項１から請求項５のいずれかに記載の発明において、前記分割テーブルは、板材の折り曲げにより形成されていることを特徴とする。
【００２３】
この発明によれば、分割テーブルを板材の折り曲げにより形成するので、加工が容易になると共に加工コストが低減される。
【００２４】
また、形成された分割テーブルは平面の組合せで構成されることとなるので、各搬送装置に応じた面を形成することができ、被計量物の分散ムラが生じることがない。
【００２５】
次に、本願の請求項７に記載の発明は、請求項１から請求項６のいずれかに記載の発明において、前記分割テーブルの分配点に被計量物を投下する供給部材が備えられ、該供給部材の投下中心が前記分配点の上方に位置することを特徴とする。
【００２６】
ところで、請求項１に記載の発明により、分配点を分割端縁部から離れた位置に設けたことで、各分配点の直上方に、各分割テーブルに被計量物を投下する供給部材を設けて、その投下中心を分配点に一致させることが可能となった。したがって、この発明によれば、被計量物が分割テーブルの分配点に投下されることで、投下された被計量物が一層均等に分散されることとなる。
【００２７】
そして、本願の請求項８に記載の発明は、請求項７に記載の発明において、前記供給部材の上部は、逆円錐形になっていることを特徴とする。
【００２８】
この発明によれば、供給部材の上部は逆円錐形になっているので、例えば片方向にしか供給部材の開口を大きくできないような場合よりも、より低い高さで同じ開口を確保することができ、これにより設置スペースの削減が図れる。
【００２９】
【発明の実施の形態】
以下、本発明の実施の形態に係る組合せ計量装置について説明する。
【００３０】
[第１の実施の形態]
図１に示すように、この組合せ計量装置1は、複数の物品のミックス計量等に対応できるように構成され、架台２の上部に支柱３を介して配設された本体４と、該本体４の上面左右に各１台ずつ配置され、上下方向の振動を発生させる一対の加振機５，５と、該加振機５，５を介して設置された一対の分割テーブル６，６と、これらの分割テーブル６，６の周囲に（図２参照）それぞれ搬送方向の振動を発生させる加振機７…７を介して放射状に配置され、前記分割テーブル６，６から被計量物を受け取る複数のトラフ８…８と、これら各トラフ８…８の先端部下方にそれぞれ位置するように前記本体４の周囲に円形に配置された複数のプールホッパ９…９と、その直下に配置された複数の計量ホッパ１０…１０と、これら各計量ホッパ１０…１０の下方において上端部が各計量ホッパ１０…１０の直下に位置するようにそれぞれ内方向に傾斜して配置された複数のガイドシュート１１…１１と、これらのガイドシュート１１…１１の下端部下方に各分割テーブル６，６に対応して設けられた一対の漏斗状の集合シュート１２，１２と、該集合シュート１２，１２下端の排出口の下方に配置された図示しない集合ホッパとを有している。
【００３１】
そして、プールホッパ９の下端開口部にはゲート９ａが、また計量ホッパ１０の下端開口部にはゲート１０ａがそれぞれ備えられていると共に、この上下に対をなすプールホッパ９と計量ホッパ１０の組毎に、前記ゲート９ａ，１０ａを開閉させる図示しない例えばリンク機構でなるゲート開閉装置が設けられている。
【００３２】
また、前記分割テーブル６，６の上方には、分割テーブル６，６に被計量物を個別に供給する漏斗状（逆円錐状）の供給シュート２１，２１が、本体４の上部に立設された複数の支持ポール２２…２２及びこれらの支持ポール２２…２２間に掛け渡された支持部材２３…２３を介して支持されている。
【００３３】
これによれば、供給シュート２１，２１から分割テーブル６，６上に供給された被計量物は、加振機５，５で発生される振動によってトラフ８…８に供給された後、各トラフ８…８から加振機７…７で発生される振動によってプールホッパ９…９に供給され、さらに該プールホッパ９…９から計量ホッパ１０…１０に供給されて、これらの計量ホッパ１０…１０で得られた被計量物の重量値の組合せ演算が行なわれ、その組合せ加算値が目標重量もしくはこれにもっとも近い値となる最適組合せが選択される。そして、最適組合せに該当した計量ホッパ１０…１０のゲート１０ａ…１０ａがゲート開閉装置によって開かれることにより、被計量物が該当計量ホッパ１０…１０から下方のガイドシュート１１…１１に排出され、各被計量物はそれぞれガイドシュート１１…１１上を滑落して、その下端部から集合シュート１２，１２に排出され、さらに該集合シュート１２，１２上を滑落して集合ホッパに一旦貯溜された後、排出されて、その下流側に設けられた図示しない複数の搬送装置で搬送されて包装装置等に供給される。
【００３４】
ここで、前記分割テーブル６，６は、図２〜図４に示すように、ほぼ円形の分散テーブルをその中心を通る分割線によって２分割した平面視で扇状とされると共に、分割端縁部６ａ，６ａから離れた位置に、周囲に対して上方へ突出し、上方から投下された被計量物を周囲に分配する分配点Ｔが形成されている。また、該分割テーブル６，６は、平面状の金属製板材を所定形状に切断した後、この切断された部材をラインＬ２，Ｌ３，Ｌ４，Ｌ５，Ｌ６で山折り加工すると共に、ラインＬ７，Ｌ８で谷折り加工し、その後、切断端部Ｌ１，Ｌ１を溶接等で結合することで、これらのラインＬ１〜Ｌ８で区画され、分割テーブル６の周縁部６ｂに向かって下がる８個の平面Ｐ１，Ｐ２，Ｐ３，Ｐ４，Ｐ５，Ｐ６，Ｐ７，Ｐ８が形成されている。各分割端縁部６ａ，６ａには、他方の分割テーブル６に被計量物が混入するのを防止する仕切り壁３３，３３が立設されている。また、該仕切り壁３３，３３は、補強部材を兼ねて前記分割端縁部６ａ，６ａに固着されている。
【００３５】
ここで、前記平面Ｐ１〜Ｐ８のうち平面Ｐ１は、傾斜方向、すなわち該平面Ｐ１と水平面との交線に対する垂線の方向が、矢印アの方向とされている。すなわち、該平面Ｐ１に落下した被計量物は、前記矢印ア方向に移動して仕切り壁３３に接近していくこととなる。なお、ラインＬ１を挟んで平面Ｐ１と対称な形状の平面Ｐ６は、傾斜方向が矢印カの方向とされ、、該平面Ｐ６に落下した被計量物は、前記矢印カ方向に移動して仕切り壁３３に接近していくこととなる。
【００３６】
また、前記ラインＬ２，Ｌ３，Ｌ４，Ｌ５，Ｌ６のそれぞれはトラフ８…８同士の境界線上に接続されると共に、平面Ｐ２〜Ｐ５はそれぞれ２個のトラフ８，８の間口に，平面Ｐ７，Ｐ８はそれぞれ１個のトラフ８の間口に対応している。すなわち、この分割テーブル６，６は、前述のように金属製板材の折り曲げにより形成された平面の組合せで構成されているので、容易にトラフ８…８に応じた面を構成することができるのである。また、被計量物を分散させるのに最適な面を構成することができるから、被計量物に分散ムラを生じさせないのである。
【００３７】
また、両テーブル６，６のそれぞれに、分配点Ｔ，Ｔを分割端縁部６ａ，６ａから離れた位置に設けたことで、図１に示したように、各分配点Ｔ，Ｔの上方に供給シュート２１，２１を設けて、その投下中心を分配点Ｔ，Ｔに一致させることが可能となった。そこで、符号Ｘ，Ｘで示すように、前記供給シュート２１，２１をその投下中心が各分配点Ｔ，Ｔに一致するように配置して、被計量物を前記分配点Ｔ，Ｔを中心として投下するようにしている。これにより、投下された被計量物を分割テーブル６，６の周囲に一層均等に分散させることができる。なお、前記供給シュート２１，２１は、図示しない移動手段により支持部材２３の長手方向に移動可能とされ、投下する被計量物の分散性に応じて最適な位置に設定することができるようになっている。
【００３８】
また、２つの供給シュート２１，２１の投下中心を相互に離して設けることができることで、供給シュート２１，２１をその径方向に大きくできるので、供給シュート２１，２１の上部を逆円錐形として上部ほど開口が大きくなるようにしている。これにより、例えば片方向にしか供給シュートの開口を大きくできないような場合よりも、より低い高さで開口を確保することができ、これにより設置スペースの削減が図れる。
【００３９】
また、前記支持部材２３の中央下方には、図３に示すように、支持部材４１と取付部材４２とを介して、供給シュート２１から投下された被計量物が他方のテーブル６に混入するのを防止する混入防止シート４３，４３が、前記仕切り壁３３，３３に跨って取り付けられている。なお、混入防止シート４３，４３の内面と仕切り壁３３，３３の上端部とは摺動可能に接した状態とされている。
【００４０】
また、最も仕切り壁３３，３３側に近い位置に位置する４個のトラフ８…８は、図２、図４に示すように、隣接する分割テーブル６に対応するトラフ８，８との間で被計量物が混入しないように、隣接する壁８ａ…８ａが、他の壁よりも高くされて仕切り壁３３，３３の間に立ち上がっている。
【００４１】
また、前記加振機５，５の振動中心すなわち加振機５，５の振動軸５ａ，５ａと、分割テーブル６，６の重心とを、図１に符号Ｘ，Ｘで示すように平面視でほぼ一致させてある。これにより、各分割テーブル６，６は、ほぼその重心を中心として安定して振動することとなるので、ますます被計量物の一様な分散に寄与する。
【００４２】
また、これらの加振機５，５は、分割テーブル６，６を上下方向に振動させるものとしている。これにより、被計量物が分散中に仕切り壁３３，３３に当接しても、周方向に跳ね返される分力が少なく、したがって仕切り壁３３，３３近傍の被計量物の量が少なくなることが抑制される。
【００４３】
以下、この組合せ計量装置１の作用について説明する。なお、２つの分割テーブル６，６は同形状とされ、その作用も同じとなるため、以後の説明においては、図２における左側の分割テーブル６のみを用いて説明する。
【００４４】
まず、分割テーブル６に分配点Ｔを中心として供給された被計量物は、加振機５による上下振動により分配点Ｔから平面Ｐ１，Ｐ２，Ｐ３，Ｐ４，Ｐ５，Ｐ６の下り勾配に沿ってほぼ均等に矢印ア、イ、ウ、エ、オ、カの方向に分配される。なお、このとき、加振機５により分割テーブル６が上下振動しているので、ほぼ面の傾斜方向に沿って被計量物が移動する。
【００４５】
その場合に、例えば平面Ｐ１，Ｐ６に分配された被計量物は、それぞれ矢印ア、カ方向に移動し、ラインＬ８，Ｌ７を通過して平面Ｐ８，Ｐ７内に入ると、該平面Ｐ８，Ｐ７の傾斜方向が平面Ｐ１，Ｐ６とは異なっているから、移動方向をそれぞれ矢印キ、クの方向に変えて移動し、分割テーブル６の周縁部６ｂからその下部に設けられたトラフ８，８に落下する。また、平面Ｐ８，Ｐ７内に一旦分散した被計量物は、隣接する平面Ｐ１，Ｐ６が上り坂になっているので、平面Ｐ１，Ｐ６内に移動しても滞まることができないだけでなく、ラインＬ２，Ｌ６を超えて平面Ｐ２，Ｐ５に分散することがない。それゆえ、平面Ｐ８，Ｐ７に分散して仕切り壁３３近傍に移動した被計量物が減少することなく、平面Ｐ８，Ｐ７の下方のトラフ８，８に確実に落下する。
【００４６】
また、前述の通り、加振機５は、分割テーブル６を上下方向に振動させるので、被計量物が分散中に仕切り壁３３に当接しても、周方向に跳ね返される分力が少なく、したがって仕切り壁３３近傍の被計量物の量が少なくなることが抑制される。
【００４７】
なお、例えば、加振機として周方向への振動も可能なものを利用して分割テーブル６を周方向に振動させ、これにより被計量物が仕切り壁３３に当接して周方向に跳ね返されたとしても、仕切り壁３３に向けて下方に傾斜する平面Ｐ１，Ｐ６が設けられているので、仕切り壁３３で跳ね返された被計量物は平面Ｐ１，Ｐ６によって、再度跳ね返されたり、傾斜面Ｐ１，Ｐ６に沿って再度仕切り壁３３に向かって落下することとなる。そのため、仕切り壁３３での跳ね返りにより仕切り壁３３近傍の物品量が減少することがない。
【００４８】
また、分割テーブル６は、板材の折り曲げにより形成されているので、分割テーブル６の加工が容易になると共に加工コストが低減される。
【００４９】
[第２の実施の形態]
次に、本発明の第２の実施の形態について説明する。なお、第２の実施の形態以後の実施の形態の説明では、２分割されて対となっている分割テーブルのうちの一方を用いて説明する。図５、図６、図７に示すように、第２の実施の形態に係る組合せ計量装置の分割テーブル５６は、ほぼ円形の分散テーブルをその中心を通る分割線によって２分割した平面視で扇状とされると共に、分割端縁部５６ａから離れた位置に、周囲に対して上方へ突出し、上方から投下された被計量物を周囲に分配する分配点Ｔ２が形成されている。また、該分割テーブル５６は、平面状の金属製板材を所定形状に切断した後、この切断された部材を、ラインＬ１２，Ｌ１３，Ｌ１４，Ｌ１５，Ｌ１６，Ｌ１７で山折り加工し、切断端部Ｌ１１，Ｌ１１を溶接等で結合することで、これらのラインＬ１１〜Ｌ１７で区画され、分割テーブル５６の周縁部５６ｂに向かって下がる７個の平面Ｐ１１，Ｐ１２，Ｐ１３，Ｐ１４，Ｐ１５，Ｐ１６，Ｐ１７が形成されている。前記分割端縁部５６ａには、他方の分割テーブル５６に被計量物が混入するのを防止する仕切り壁５７が立設されている。また、該仕切り壁５７は、補強部材を兼ねて前記分割端縁部５６ａに固着されている。
【００５０】
ここで、前記平面Ｐ１１〜Ｐ１７のうち平面Ｐ１１，Ｐ１７は、傾斜方向、すなわち該平面Ｐ１１，Ｐ１７と水平面との交線に対する垂線の方向が、それぞれ矢印サ、スの方向とされている。これによれば、分割テーブル５６に分配点Ｔ２を中心として投下された被計量物は、この分配点Ｔ２から平面Ｐ１１，Ｐ１２，Ｐ１３，Ｐ１４，Ｐ１５，Ｐ１６，Ｐ１７の下り勾配に沿ってほぼ均等に周囲に分配される。その場合に、平面Ｐ１１，Ｐ１７に分配された被計量物は、傾斜方向の矢印サ、ス方向に移動して分割端縁部５６ａに到達すると、仕切り壁５７に沿って矢印シ、セの方向に移動し、分割テーブル５６の周縁部５６ｂからその下部に設けられた図示しないトラフに落下する。
【００５１】
また、平面Ｐ１１，Ｐ１７内に一旦分配された被計量物は、該平面Ｐ１１，Ｐ１７が仕切り壁５７からの上り坂になっているので、該平面Ｐ１１，Ｐ１７の周縁部以外ではラインＬ１２，Ｌ１７を超えて平面Ｐ１２，Ｐ１６側に分散しない。それゆえ、仕切り壁５７近傍の被計量物が減少することなく、平面Ｐ１１，Ｐ１７の下方のトラフに確実に落下する。
【００５２】
[第３の実施の形態]
次に、本発明の第３の実施の形態について説明する。図８、図９、図１０に示すように、第３の実施の形態に係る組合せ計量装置の分割テーブル６６は、ほぼ円形のテーブルをその中心を通る分割線によって２分割した平面視で扇状とされると共に、分割端縁部６６ａから離れた位置に、周囲に対して上方へ突出し、上方から投下された被計量物を周囲に分配する分配点Ｔ３が形成されている。また、該分割テーブル６６は、平面状の金属製板材を所定形状に切断した後、この切断された部材を、ラインＬ２２，Ｌ２３で山折り加工すると共に、該ラインＬ２２，Ｌ２３間の平面を曲面状に湾曲させ、切断端部Ｌ２１，Ｌ２１を溶接等で結合することで、これらのラインＬ２１〜Ｌ２３で区画され、分割テーブル６６の周縁部６６ｂに向かって下がる３個の面Ｐ２１，Ｐ２２，Ｐ２３が形成されている。前記分割端縁部６６ａには、他方の分割テーブル６６に被計量物が混入するのを防止する仕切り壁６７が立設されている。また、該仕切り壁６７は、補強部材を兼ねて前記分割端縁部６６ａに固着されている。
【００５３】
ここで、前記面Ｐ２１〜Ｐ２３のうち平面Ｐ２１，Ｐ２３は、傾斜方向、すなわち該平面Ｐ２１，Ｐ２３と水平面との交線に対する垂線の方向が、それぞれ矢印タ、ツの方向とされている。これによれば、分割テーブル６６に分配点Ｔ３を中心として投下された被計量物は、この分配点Ｔ３から面Ｐ２１，Ｐ２２，Ｐ２３の下り勾配に沿ってほぼ均等に周囲に分配される。その場合に、平面Ｐ２１，Ｐ２３に分配された被計量物は、矢印タ、ツ方向に分散して、分割端縁部６６ａに到達すると、仕切り壁６７に沿って矢印チ、テの方向に移動し、分割テーブル６６の周縁部６６ｂからその下部に設けられた図示しないトラフに落下する。
【００５４】
また、平面Ｐ２１，Ｐ２３内に一旦分配された被計量物は、該平面Ｐ２１，Ｐ２３が仕切り壁６７からの上り坂になっているので、該平面Ｐ２１，Ｐ２３の周縁部以外ではラインＬ２２，Ｌ２３を超えて平面Ｐ２２側に分散しない。それゆえ、仕切り壁６７近傍の被計量物が減少することなく、平面Ｐ２１，Ｐ２３の下方のトラフに確実に落下する。
【００５５】
[第４の実施の形態]
次に、本発明の第４の実施の形態について説明する。図１１、図１２、図１３に示すように、第４の実施の形態に係る組合せ計量装置の分割テーブル７６は、ほぼ円形のテーブルをその中心を通る分割線によって２分割した平面視で扇状とされると共に、分割端縁部７６ａから離れた位置に、周囲に対してほぼ斜め上方へ突出し、上方から投下された被計量物を周囲に分配する分配点Ｔ４が形成されている。また、該分割テーブル７６は、平面状の金属製板材を所定形状に切断した後、この切断された部材を、ラインＬ３３，Ｌ３４，Ｌ３５，Ｌ３６，Ｌ３７，Ｌ３８で山折り加工すると共に、ラインＬ３１，Ｌ３９で谷折り加工し、切断端部Ｌ３１，Ｌ３１を溶接等で結合することで、これらのラインＬ３１〜Ｌ３９で区画され、分割テーブル７６の周縁部７６ｂに向かって下がる９個の平面Ｐ３１，Ｐ３２，Ｐ３３，Ｐ３４，Ｐ３５，Ｐ３６，Ｐ３７，Ｐ３８，Ｐ３９が形成されている。前記分割端縁部７６ａには、他方の分割テーブル７６に被計量物が混入するのを防止する仕切り壁７７が立設されている。また、該仕切り壁７７は、補強部材を兼ねて前記分割端縁部７６ａに固着されている。また、ラインＬ３１は分配点Ｔ４から仕切り壁７７に水平に延びる稜線をなしている。
【００５６】
ここで、前記平面Ｐ３１〜Ｐ３９のうち、例えば平面Ｐ３２，Ｐ３８は、傾斜方向、すなわち該平面Ｐ３２，Ｐ３８と水平面との交線に対する垂線の方向が、矢印ナ、ヌの方向とされている。また、平面Ｐ３１，Ｐ３９は、傾斜方向がそれぞれ矢印ノ、ハの方向とされている。これによれば、分割テーブル７６に分配点分配点Ｔ４を中心として投下された被計量物は、この分配点Ｔ４から平面Ｐ３１，Ｐ３２，Ｐ３３，Ｐ３４，Ｐ３５，Ｐ３６，Ｐ３７，Ｐ３８，Ｐ３９の下り勾配に沿ってほぼ均等に周囲に分配される。その場合に、例えば平面Ｐ３２，Ｐ３８に分配された被計量物は、傾斜方向の矢印ナ、ヌ方向に移動し、分割端縁部７６ａに到達すると、仕切り壁７７に沿って矢印ニ、ネの方向に移動し、分割テーブル７６の周縁部７６ｂからその下部に設けられた図示しないトラフに落下する。また、平面Ｐ３１，Ｐ３９に分配された被計量物は、傾斜方向の矢印ノ、ハ方向に移動して、平面Ｐ３１，Ｐ３９とは傾斜角度の異なる平面Ｐ３２，Ｐ３８内に入ってその後前述の通り移動する。
【００５７】
また、平面Ｐ３２，Ｐ３８内に一旦分配された被計量物は、該平面Ｐ３２，Ｐ３８が仕切り壁７７からの上り坂になっているので、該平面Ｐ３２，Ｐ３８の周縁部以外ではラインＬ３３を超えて平面Ｐ３３，Ｐ３７に分散しない。それゆえ、仕切り壁７７近傍の被計量物が減少することなく、平面Ｐ３２，Ｐ３８の下方のトラフに確実に落下する。
【００５８】
なお、この第４の実施の形態では、ラインＬ３１を水平にしているが、図１３に符号Ｌ３１′で示すように、仕切り壁７７側のライン端を高くしてＰ３１の傾斜を大きくしても、Ｐ３１に落下した被計量物は、やはり面Ｐ３２に移動するから、ラインＬ３１が水平な場合と同様の効果が得られる。
【００５９】
また、図１３にラインＬ３１″で示すように、仕切り壁７７側のライン端をさらに高くして、前記分配点Ｔ４が上方に突出しなくなっても、Ｐ３１に落下した被計量物は、やはり面Ｐ３２に移動するから、ラインＬ３１が水平な場合と同様の効果が得られる。
【００６０】
すなわち、分配点は、上方から投下された被計量物を周囲に分配する点であればよいのであって、分割テーブルの最も高い位置にある必要はないのである。
【００６１】
[第５の実施の形態]
次に、本発明の第５の実施の形態について説明する。図１４、図１５、図１６に示すように、第５の実施の形態に係る組合せ計量装置の分割テーブル８６は、第２の実施の形態に係る分割テーブル５６の平面Ｐ１１〜Ｐ１７の傾斜角がほぼ等しくなるようにし、かつラインＬ１１を水平にしたものであり、平面視では分割テーブル５６とほぼ同形状とされている。すなわち、この分割テーブル８６は、ほぼ円形のテーブルをその中心を通る分割線によって２分割した平面視で扇状とされると共に、分割端縁部８６ａから離れた位置に、周囲に対して上方へ突出し、上方から投下された被計量物を周囲に分配する分配点Ｔ５が形成されている。
【００６２】
また、該分割テーブル８６は、平面状の金属製板材を所定形状に切断した後、この切断された部材を、ラインＬ４３，Ｌ４４，Ｌ４５，Ｌ４６で山折り加工すると共に、ラインＬ４２，Ｌ４７で谷折り加工し、切断端部Ｌ４１，Ｌ４１を溶接等で結合することで、これらのラインＬ４１〜Ｌ４７で区画され、分割テーブル８６の周縁部８６ｂに向かって下がる７個の平面Ｐ４１，Ｐ４２，Ｐ４３，Ｐ４４，Ｐ４５，Ｐ４６，Ｐ４７が形成されている。また、平面Ｐ４２〜Ｐ４６は、周縁部８６ｂ側が、ラインＬ４８，Ｌ４９，Ｌ５０，Ｌ５１，Ｌ５２で下方に折曲されて垂直面Ｐ４８，Ｐ４９，Ｐ５０，Ｐ５１，Ｐ５２につながっており、これらの面の切断端部Ｌ５３，Ｌ５３，Ｌ５４，Ｌ５４，Ｌ５５，Ｌ５５，Ｌ５６，Ｌ５６が溶接等で結合されている。また、前記分割端縁部８６ａには、他方の分割テーブル８６に被計量物が混入するのを防止する仕切り壁８７が立設されている。該仕切り壁８７は、補強部材を兼ねて前記分割端縁部８６ａに固着されている。
【００６３】
また、前記平面Ｐ４１〜Ｐ４７のうちのトラフへ被計量物を送る平面Ｐ４２〜Ｐ４６は、前記分配点Ｔ５から周縁部８６ｂへの傾斜角がほぼ同じとされている。つまり、これらの平面Ｐ４２〜Ｐ４６と、水平面との交線は、符号Ｘで示す多角形状となってその頂点が分配点Ｔ５を中心とした円周Ｙ上に位置することとなるから、前記平面Ｐ４２〜Ｐ４６の傾斜方向は、分配点Ｔ５から分割端縁部８６ａを除く周縁部８６ｂに向かう方向、詳しくは分配点Ｔ５から延びるそれぞれのラインＬ４２，Ｌ４３，Ｌ４４，Ｌ４５，Ｌ４６，Ｌ４７の挟角の中間方向で、すなわち、図１４の矢印ミ、ム、メ、モ、ヤの方向となるのである。
【００６４】
すなわち、この第５の実施の形態の分割テーブル８６においては、前記平面Ｐ４１〜Ｐ４７のうち平面Ｐ４２，Ｐ４６が、前記仕切り壁８７に向けて下方に傾斜する傾斜面とされ、その傾斜方向、すなわち該平面Ｐ４２，Ｐ４６と水平面との交線に対する垂線の方向は、それぞれ矢印ミ、ヤの方向とされている。そして、これらの平面Ｐ４２，Ｐ４６に隣接し、かつ前記仕切り壁８７に隣接する平面Ｐ４１，Ｐ４７は、その一つの辺である前記ラインＬ４１を水平とすることによって、傾斜方向が矢印マ、ユの方向、すなわち仕切り壁８７に平行な方向とされている。
【００６５】
これによれば、分割テーブル８６に分配点Ｔ５を中心として投下された被計量物は、この分配点Ｔ５から平面Ｐ４１，Ｐ４２，Ｐ４３，Ｐ４４，Ｐ４５，Ｐ４６，Ｐ４７の下り勾配に沿って矢印マ、ミ、ム、メ、モ、ヤ、ユの方向にほぼ均等に分配される。その場合に、平面Ｐ４２，Ｐ４６に分配された被計量物は、傾斜方向の矢印ミ、ヤ方向に移動して、仕切り壁８７近傍にも分散し、その下部に設けられた図示しないトラフに分割テーブル８６の周縁部８６ｂから落下する。
【００６６】
また、平面Ｐ４１，Ｐ４７内に投下された被計量物は、矢印マ、ユ方向に落下し、ラインＬ４２，Ｌ４７を越えて平面Ｐ４２，Ｐ４６内に分散するが、平面Ｐ４２，Ｐ４６が仕切り壁８７側からの上り坂で、その傾斜方向がミ、ヤになっているので、被計量物の移動方向は矢印ミ、ヤの方向に変わって、仕切り壁８７近傍にも被計量物が十分に分散することとなるのである。それゆえ、仕切り壁８７近傍の被計量物が減少することなく、平面Ｐ４１，Ｐ４７の下方のトラフに確実に落下する。
【００６７】
また、前記平面Ｐ４１〜Ｐ４７は、分配点Ｔ５から周縁部８６ｂへの傾斜がほぼ同じとされているから、例えば傾斜の大きい面に被計量物が偏ったり、この傾斜の大きい面に投下された被計量物が一気に大量にその下方のトラフに流入するようなことが生じたりすることなく、前記各トラフにほぼ均等に分散される。
【００６８】
また、ラインＬ４１を水平とすることにより、前記仕切り壁８７に隣接してラインＬ４１を一つの辺とする平面Ｐ４１，Ｐ４７は、前記仕切り壁８７に垂直とされている。これによれば、平面Ｐ４１，Ｐ４７は、傾斜方向が矢印マ、ユの方向、すなわち仕切り壁８７に平行な方向となり、前記仕切り壁８７に向かって下方に傾斜する傾斜面Ｐ４２，Ｐ４６からこれらの平面Ｐ４１，Ｐ４７に分散された被計量物が、前記仕切り壁８７に押し付けられて周縁部８６ｂに移動しにくくなって滞留するということが生じず、スムーズに周縁部８６ｂに移動する。
【００６９】
なお、この第５の実施の形態においては、平面Ｐ４２，Ｐ４６の傾斜方向を、仕切り壁８７に向かって下がる傾斜方向とするために、図１４に示すように、分配点Ｔ５を通って仕切り壁８７に平行な線分ＺとラインＬ４２，Ｌ４７との平面視での挟角θ１，θ２を、線分ＺとラインＬ４３，Ｌ４６との挟角φ１，φ２よりもそれぞれ大きくする必要がある。
【００７０】
[その他の実施の形態]
なお、第１〜第５の実施の形態では、分散テーブルを２分割した場合について説明したが、例えば、３分割や４分割等、３個以上に分割した場合でも適用可能なことはいうまでもない。また、分割するときに、均等に分割するのでなく、例えば、平面上で、均等に２分割し、該分割したテーブルの一方をさらに２分割して、その面積が５０％、２５％、２５％とするようなことも可能である。これによれば、複数の被計量物をそれぞれの処理量に応じて処理することが可能となる。
【００７１】
また、図示しないが、例えば円錐状のテーブルの一部を直径方向に平行に切断したり、縦方向に切り欠いたりして、その切断された端縁部に仕切り壁を立設することにより、その頂点（分配点）から仕切り壁に向けて下方に傾斜する傾斜面を設けることも可能である。すなわち、第１〜第５の実施の形態で説明した分割テーブルにおいては、仕切り壁に向けて下方に傾斜する傾斜面は、複数のライン（区画線）によって区画された平面の一部の面であったが、ラインにより折り曲げを行なわなくても、前記仕切り壁に向けて下方に傾斜する傾斜面を設けることができるのである。また、この場合、平面が無限大個数設けられていると言える。
【００７２】
また、分散テーブルとして、第１〜第５の実施の形態に記載した分割テーブルや別形状の分割テーブルを組合せて利用することも可能である。これによれば、例えば、種類の異なる被計量物をミックス計量する場合に、被計量物の種類により分散性に差がある場合には、その被計量物に最適な分散テーブルを利用することで、さらに確実に被計量物を均一に分散させることができる。
【００７３】
【発明の効果】
以上のように、本発明によれば、分散テーブルが複数の分割テーブルに分割されると共に、該分割端縁部に仕切り壁が設けられた組合せ計量装置において、分割テーブルに、前記仕切り壁から離れた位置に上方から投下された被計量物を周囲に分配する分配点を設けると共に、この分配点から前記仕切り壁に向けて下方に傾斜する傾斜面を設けることで、仕切り壁近傍にも被計量物を一様に分散させ、これにより複数のトラフに均等に被計量物を供給することができる組合せ計量装置を提供することが可能となる。
【図面の簡単な説明】
【図１】  本発明に係る組合せ計量装置の要部側面図である。
【図２】  同分散テーブル周辺の要部平面図である。
【図３】  図２における矢印Ａによる矢視図である。
【図４】  図２における矢印Ｂによる矢視図である。
【図５】  同分散テーブルの第２の実施の形態を表わす平面図である。
【図６】  図５における矢印Ｃによる矢視図である。
【図７】  図５における矢印Ｄによる矢視図である。
【図８】  同分散テーブルの第３の実施の形態を表わす平面図である。
【図９】  図８における矢印Ｅによる矢視図である。
【図１０】  図８における矢印Ｆによる矢視図である。
【図１１】  同分散テーブルの第４の実施の形態を表わす平面図である。
【図１２】  図１１における矢印Ｇによる矢視図である。
【図１３】  図１１における矢印Ｈよる矢視図である。
【図１４】  同分散テーブルの第５の実施の形態を表わす平面図である。
【図１５】  図１４における矢印Ｉによる矢視図である。
【図１６】  図１４における矢印Ｊによる矢視図である。
【符号の説明】
１            組合せ計量装置
６，６        分割テーブル
６ａ，６ａ    分割端縁部
７…７        加振機
８…８        トラフ（搬送装置）
９…９，１０…１０  プールホッパ，計量ホッパ（計量装置）
２１，２１    供給シュート（供給部材）
３３，３３    仕切り壁
Ｐ１，Ｐ６    平面（傾斜面）
Ｌ１〜Ｌ８    ライン（区画線）
Ｔ            分配点
【図１】
0003793449.tif 000002
【図２】
0003793449.tif 000003
【図３】
0003793449.tif 000004
【図４】
0003793449.tif 000005
【図５】
0003793449.tif 000006
【図６】
0003793449.tif 000007
【図７】
0003793449.tif 000008
【図８】
0003793449.tif 000009
【図９】
0003793449.tif 000010
【図１０】
0003793449.tif 000011
【図１１】
0003793449.tif 000012
【図１２】
0003793449.tif 000013
【図１３】
0003793449.tif 000014
【図１４】
0003793449.tif 000015
【図１５】
0003793449.tif 000016
【図１６】
0003793449.tif 000017